(57)【要約】      （修正有）【課題】光起電パネル下方の土地の太陽の日照死角面積が大きいという問題を解決するグリッドアセンブリ式インテリジェント光起電システムを提供する。【解決手段】支柱３と、ダブルスロット式梁４と、分離式複合スタンド２と、角丸自己潤滑複合スリーブと、角軸５と、光起電パネル１と、インテリジェント制御ボックスと、角度検出器と、駆動機構とを包括するグリッドアセンブリ式インテリジェント光起電システムであって、光起電パネル１を角軸５上に取り付け、角軸５を分離式複合スタンド２上に取り付け、分離式複合スタンド２は、Ｔ字型ボルトによってダブルスロット式梁４上に取り付けられ、ダブルスロット式梁４は、支柱３と予め設けてある基礎によって地面に取り付けられており、複数の光起電パネル１は、角軸５上に固定して単列の光起電パネルグリッドを形成し、各光起電パネルグリッドの間は、一定の距離を有し、複数の光起電パネルグリッドが光起電アレイを形成している。【選択図】図４
0003212175.tif 000002
【実用新案登録請求の範囲】
【請求項１】
支持ユニットと、分離式複合スタンドと、角軸と、光起電パネルとを包括するグリッドアセンブリ式インテリジェント光起電システムであって、
角軸は、分離式複合スタンド上に設置し、且つ分離式複合スタンドで転動することができ、分離式複合スタンドは、支持ユニット上に固定し、複数の光起電パネルは、角軸上に固定して単列の光起電パネルグリッドを形成し、各光起電パネルグリッドの間は、一定の距離を有し、複数の光起電パネルグリッドが光起電アレイを形成することを特徴とする、グリッドアセンブリ式インテリジェント光起電システム。
【請求項２】
上述した支持ユニットは、支柱、ダブルスロット式梁及びベースを包括し、上述した支柱は、上部がダブルスロット式梁と接続し、下部がベースと接続することを特徴とする請求項１に記載の、グリッドアセンブリ式インテリジェント光起電システム。
【請求項３】
上述した角軸は、ダブルスロット式梁と垂直を呈し、角丸自己潤滑複合スリーブを介して分離式複合スタンドが取り付けられ、分離式複合スタンド底部は、ダブルスロット式梁上部のスロットに取り付けられているＴ字型ボルトに接続し、上述した光起電パネルは、固定梁を介して角軸に取り付けられることを特徴とする請求項１に記載の、グリッドアセンブリ式インテリジェント光起電システム。
【請求項４】
伝動ロッド及び駆動ロッドをさらに包括し、上述した伝動ロッドは、一端が角軸と接続し、もう一端が駆動ロッドと接続することを特徴とする請求項１に記載の、グリッドアセンブリ式インテリジェント光起電システム。
【請求項５】
インテリジェント制御ボックス、角度検出器及び駆動機構をさらに包括し、そのうち、インテリジェント制御ボックスは、支柱に取り付けられ、角度検出器は、インテリジェント制御ボックス側面の光起電パネルグリッド上に取り付けられ、駆動機構は駆動ロッドと接続されることを特徴とする請求項１乃至４のいずれかに記載の、グリッドアセンブリ式インテリジェント光起電システム。
【請求項６】
上述したダブルスロット式梁は、上部及び下部にＴ字型ボルト専用のスロットをそれぞれ開設することを特徴とする請求項２に記載の、グリッドアセンブリ式インテリジェント光起電システム。
【請求項７】
上述した分離式複合スタンドは、角丸自己潤滑複合スリーブとの間に耐摩耗のワッシャをさらに設置することを特徴とする請求項１に記載の、グリッドアセンブリ式インテリジェント光起電システム。
【請求項８】
上述したベース上部にある支柱取り付けロッドは、二列の固定孔を開設し、各列の固定孔は、互いに１２０度の挟角にある三つのねじ穴を包含し、上述したベースは、支柱との接続箇所に保護カバーをさらに設置することを特徴とする請求項１に記載の、グリッドアセンブリ式インテリジェント光起電システム。
【請求項９】
上述した角丸自己潤滑複合スリーブは、中央に角孔を設置し、且つ両側には小円盤及び大円盤が配置され、大円盤及び小円盤の間には中央円柱が配置され、上述した大円盤の軸線及び小円盤の軸線は、同一線上ではないことを特徴とする請求項１に記載の、グリッドアセンブリ式インテリジェント光起電システム。
【請求項１０】
上述した分離式複合スタンドの上部は、円形孔を開設するスリーブ取り付け部を包含し、スリーブ取り付け部の下部は、立板を包含し、立板の両側は、立板と垂直になる側板を設置し、側板の下部は、側板と垂直になる横板を設置し、横板上に固定孔を開設することを特徴とする請求項１に記載の、グリッドアセンブリ式インテリジェント光起電システム。
【考案の詳細な説明】
【技術分野】
【０００１】
本考案は、様々な農業生産と結合することが可能な光起電システム、特にグリッドアセンブリ式インテリジェント光起電システムに関するものである。
【背景技術】
【０００２】
社会や技術の進歩に伴い、光起電の分野において、光起電のコストは低下傾向にあり、発電量が石炭発電と同様の競争力を有し、且つ発電コストが石炭発電と同等なクリーンエネルギーを２０２０年までに実現することを目指している。人類のエネルギー体系における太陽エネルギーによる光起電の割合は急速に増加しており、有望な発展が見込まれている。現在、光起電システムの多くは、傾斜面が南北に向かって固定（或いは調節可能）されているワイドアレイシステムが用いられているが、このシステムでは南北方向に多くの影ができることから、通年太陽光が当たらない死角を形成し、日照時の死角は、植物の成長に対して好ましくなく、砂地を形成するとともに、南北方向の光起電アレイは、傾斜角が調節可能であったとしても、太陽光の利用率は依然として低くく、いずれも南北方向の光起電アレイに共通する問題である。
【０００３】
実際の使用において、これら従来のアレイ式光起電装置の大多数は、固定式装置であって、光起電パネルは、角度及び位置が固定されたものが用いられ、太陽とともに回転することができず、その多くは、光起電パネル上に太陽光が斜めに照射することから、変換効率が著しく低下し、且つ植物の生長に影響を及ぼしている。一部の装置には太陽光を追跡するトラッキング装置が取り付けられているものの、構造が複雑で、装置自体のエネルギー消費が大きく、太陽光発電装置の効率に影響し、且つ高いところに取り付けるため、中国西北部のような風が大きい場所では大きな影響を受けてしまう。
【０００４】
光起電の分散アプリケーションの急速な発展に伴い、通常のアレイ式光起電発電所は、光起電パネルアレイが地面に大きな日照死角を形成し、光起電パネルアレイ下方にあるスタンドの空間が狭く、且つ高さもそれぞれ異なるため、農業と光起電の結合が充分に実現し難い。
【考案の概要】
【考案が解決しようとする課題】
【０００５】
これらを鑑み、本考案は、光起電パネル下方の土地或いは農業用ハウスにある太陽の日照死角面積が大きいという問題を解決することにあり、また、従来の平軸が単独で制御する複雑な構造を解決し、複数の単列型光起電素子を形成するグリッド光起電アレイを合理的に回転させることによって強風を回避して抵抗を低減すると同時に、雪解けが不均一で、光起電素子のホットスポット現象の後に形成する電気抵抗が光起電パネルに対して損傷を引き起こしやすいことから、雪などが光起電パネル上に堆積することを防ぎ、且つ砂嵐などが光起電発電所に対して起こす損傷を大幅に軽減し、企業の運営コストや安全リスクを低減することができる。また、高層スタンドの第一梁及び第二梁が網目状に交差し合うことで、安定性が強化され、剛性と靭性とが高いグリッドアセンブリ式インテリジェント光起電システムを提供することができ、また、本考案は、網目状に交差し合うことで、安定性が強化され、剛性と靭性とが高いことから、様々な環境における取り付け使用に適合している。また、本考案は、曇天以外、終日８時間から１０時間太陽を追跡することができ、同じような面積及び構成の固定式電磁ユニットと比べて発電効率が１５％から２５％増加することから、太陽光発電コンポーネントの発電効率を向上している、さらにまた、本考案は小型且つ軽量で、取り付けが簡単であって、たとえ電源がない僻地の山岳地域であったとしても本考案を適用することができ、外部電源を用いらずに太陽光の追跡を行うことができ、且つ良好な耐風性能も有している。
【課題を解決するための手段】
【０００６】
上述したことを実現するため、本考案は、支持ユニットと、分離式複合スタンドと、角軸と、光起電パネルとを包括するグリッドアセンブリ式インテリジェント光起電システムを提供し、角軸は、分離式複合スタンド上に設置し、且つ分離式複合スタンドで転動することができ、分離式複合スタンドは、支持ユニット上に固定し、複数の光起電パネルは、角軸上に固定して単列の光起電パネルグリッドを形成し、各光起電パネルグリッドの間は、一定の距離を有し、複数の光起電パネルグリッドが光起電アレイを形成している。これにより、光起電パネル下方の土地或いは農業用ハウスにある太陽の日照死角面積が大きいという問題を解決し、光起電パネルの転動を簡潔に制御することも可能となり、従来の平軸が単独で制御する複雑な構造を解決している。
【０００７】
本考案に係るグリッドアセンブリ式インテリジェント光起電システムに基づくと、上述した支持ユニットは、支柱、ダブルスロット式梁及びベースを包括し、上述した支柱は、上部がダブルスロット式梁と接続し、下部がベースと接続している。支持ユニットの合理的な設計により、本考案は、より安定且つ信頼性のあるものとなっている。
【０００８】
本考案に係るグリッドアセンブリ式インテリジェント光起電システムに基づくと、上述した角軸は、ダブルスロット式梁と垂直を呈し、角丸自己潤滑複合スリーブを介して分離式複合スタンドが取り付けられ、分離式複合スタンド底部は、ダブルスロット式梁上部の十字型スロットに取り付けられているＴ字型ボルトに接続し、上述した光起電パネルは、固定梁を介して角軸に取り付けている。ダブルスロット式梁は、角軸と垂直を呈し、分離式複合スタンドを介して接続することから、本考案は、網目状に交差しており、ダブルスロット式梁上に一定数量の単列の光起電アレイが取り付けられると、より安定性が強化され、耐風、耐横転の能力がさらに強化されている。
【０００９】
本考案に係るグリッドアセンブリ式インテリジェント光起電システムに基づくと、伝動ロッド及び駆動ロッドをさらに包括し、上述した伝動ロッドは、一端が角軸と接続し、もう一端が駆動ロッドと接続している。
【００１０】
本考案に係るグリッドアセンブリ式インテリジェント光起電システムに基づくと、インテリジェント制御ボックス、角度検出器及び駆動機構をさらに包括し、そのうち、インテリジェント制御ボックスは、支柱に取り付けられ、角度検出器は、インテリジェント制御ボックス側面の光起電パネルグリッド上に取り付けられ、駆動機構は駆動ロッドと接続されている。本考案に係るグリッドアセンブリ式インテリジェント光起電システムは、インテリジェント制御ボックスを介して動作制御を行っている。インテリジェント制御ボックスに隣接する光起電パネル上に取り付けられた角度検出器が送信する角度信号は、駆動コネクティングロッドを制御し、すべての光起電パネルを連動して各自が角軸を中心として転動することで、東西方向における日照の追跡或いは南北方向における傾斜角の調節を実現している。
【００１１】
本考案に係るグリッドアセンブリ式インテリジェント光起電システムに基づくと、上述したダブルスロット式梁は、上部及び下部にＴ字型ボルト専用のスロットをそれぞれ開設している。ダブルスロット式梁に合理的に設計されたスロットは、Ｔ字型ボルトを介して分離式複合スタンド及び支柱の簡潔な取り付けを実現し、取り付け自動化の基礎としている。
【００１２】
本考案に係るグリッドアセンブリ式インテリジェント光起電システムに基づくと、上述した分離式複合スタンドは、角丸自己潤滑複合スリーブとの間にワッシャをさらに設置している。分離式複合スタンドと角丸自己潤滑複合スリーブとの間の摩擦の低減を実現している。
【００１３】
本考案に係るグリッドアセンブリ式インテリジェント光起電システムに基づくと、上述したベース上部にある支柱取り付けロッドは、二列の固定孔を開設し、各列の固定孔は、互いに１２０度の挟角にある三つのねじ穴を包含している。
【００１４】
本考案に係るグリッドアセンブリ式インテリジェント光起電システムに基づくと、上述した角丸自己潤滑複合スリーブは、中央に角孔を設置し、且つ両側には小円盤及び大円盤が配置され、大円盤及び小円盤の間には中央円柱が配置され、上述した大円盤の軸線及び小円盤の軸線は、同一線上ではない。これにより、角丸自己潤滑複合スリーブは、分離式複合スタンドと角軸との間に取り付けられ、角軸と角丸自己潤滑複合スリーブとの相対的静止を実現することで、分離式複合スタンド上での転動を可能にしている。また、角丸自己潤滑複合スリーブは、例えば、ポリテトラフルオロエチレンなどといった自己潤滑材料を用いることで、角軸と分離式複合スタンドとの接続をより安定的なものにすると同時に、摩擦係数を低減し、耐用年数が長くなるようにしている。さらにまた、角丸自己潤滑複合スリーブは、分離式複合スタンドとの間にワッシャをさらに設置し、両者間の摩擦をさらに低減している。
【００１５】
本考案に係るグリッドアセンブリ式インテリジェント光起電システムに基づくと、上述した分離式複合スタンドの上部は、円形孔を開設するスリーブ取り付け部を包含し、スリーブ取り付け部の下部は、立板を包含し、立板の両側は、立板と垂直になる側板を設置し、側板の下部は、側板と垂直になる横板を設置し、横板上に固定孔を開設している。
【００１６】
本考案に係るグリッドアセンブリ式インテリジェント光起電システムに基づくと、上述した支柱は、ベースとの接続箇所に保護カバーをさらに設置している。
【考案の効果】
【００１７】
本考案は、以下のような利点を有している。
【００１８】
第一に、本考案は、合理的な設計を介し、複数の光起電パネルが角軸上に固定されて単列の光起電アレイを形成している。各列の光起電アレイの間には、一定の距離があり、各列の光起電アレイは、駆動ロット及び伝動ロッドの協働を介して転動することができる。これにより、光起電パネル下方の土地或いは農業用ハウスにある太陽の日照死角面積が大きいという問題を解決している。
【００１９】
第二に、光起電パネルを単列の光起電アレイにすることで、光起電パネルの転動を簡潔に制御することができ、従来の平軸が単独で制御する複雑な構造を解決している。
【００２０】
第三に、各列の光起電アレイの間には、一定の距離があり、各列の光起電アレイは、駆動ロット及び伝動ロッドの協働を介して転動することができる。これにより、光起電パネルの転動過程において、光起電パネル同士が互いに干渉しなくなることを実現すると同時に、単列に光起電アレイの転動を介して本考案の高い適応性を実現している。例えば、本考案を吹雪や砂嵐が多い場所に取り付けた場合、単列の光起電アレイを合理的に転動させることによって強風を避け、抵抗を低減し、砂や雪が光起電パネル上に堆積することを防いでいる。砂や雪が光起電パネル上に堆積することを防ぐことから、雪解けで形成する電気抵抗が光起電パネルに対して起きる損傷を防止することができ、砂嵐が光起電分野に対して起こす損傷を大幅に軽減し、企業の運営コストや安全リスクを低減することができる。
【００２１】
第四に、合理的に設計された組立式スタンドにより、分離式複合スタンドの上部は、円形孔を開設するスリーブ取り付け部を包含し、スリーブ取り付け部の下部は、立板を包含し、立板の両側は、立板と垂直になる側板を設置し、側板の下部は、側板と垂直になる横板を設置し、横板上に固定孔を開設している。これにより、分離式複合スタンドは、角軸の取り付けをより安定なものにすると同時に、角軸とダブルスロット式梁との間の橋渡しとなり、本考案の安定性をより強固なものとしている。
【００２２】
第五に、合理的に設計された本考案に係る角丸自己潤滑複合スリーブにより、上述した角丸自己潤滑複合スリーブは、中央に角孔を設置し、且つ両側には小円盤及び大円盤が配置され、大円盤及び小円盤の間には中央円柱が配置され、上述した大円盤の軸線及び小円盤の軸線は、同一線上ではなく、また、角丸自己潤滑複合スリーブは、分離式複合スタンドと角軸との間に取り付けられ、角軸と角丸自己潤滑複合スリーブとの相対的静止を実現することで、分離式複合スタンド上での転動を可能にしている。また、角丸自己潤滑複合スリーブは、例えば、ポリテトラフルオロエチレンなどといった自己潤滑材料を用いることで、角軸と分離式複合スタンドとの接続をより安定的なものにすると同時に、摩擦係数を低減し、耐用年数が長くなるようにしている。さらにまた、角丸自己潤滑複合スリーブは、分離式複合スタンドとの間に角丸ワッシャをさらに設置し、両者間の摩擦をさらに低減している。
【００２３】
第六に、合理的に設計された本考案に係るベースにより、上述したベース上部にある支柱取り付けロッドは、二列の固定孔を開設し、各列の固定孔は、互いに１２０度の挟角にある三つのねじ穴を包含している。これにより、ベースのの外観を考慮しつつ、支柱と安定的に接続させると同時に、支柱とベースとの接続箇所に保護カバーを設置することで、雨水などで損傷しないように、接続部分を保護している。
【００２４】
第七に、合理的に設計された本考案に係るダブルスロット式梁により、上述したダブルスロット式梁は、上部及び下部に十字型スロットをそれぞれ開設している。これにより、上述したダブルスロット式梁は、本考案の接続及び組立をより簡潔なものとすると同時に、両面光起電パネルの取り付けなどに応用することができ、極めて高い利用価値を有している。
【００２５】
第八に、本考案は、道路の中央や浅い水域に取り付けることができ、支柱を長くすれば、深い水域に取り付けることもでき、また、本考案を浅い水域或いは深い水域に取り付けた場合、両面光起電パネルが用いられ、これにより水面で反射した光を利用して発電することができ、資源の統合により発電量の向上を図ることができる。
【００２６】
第九に、本考案は、網目状に交差し合うことで、安定性が強化され、剛性と靭性とが高いことから、様々な環境における取り付け使用に適合している。また、本考案は、曇天以外、終日８時間から１０時間太陽を追跡することができ、同じような面積及び構成の固定式電磁ユニットと比べて発電効率が１５％から２５％増加することから、太陽光発電コンポーネントの発電効率を向上している、さらにまた、本考案は小型且つ軽量で、取り付けが簡単であって、たとえ電源がない僻地の山岳地域であったとしても本考案を適用することができ、外部電源を用いらずに太陽光の追跡を行うことができ、且つ良好な耐風性能も有している。このため、本考案は、広範囲の使用に適している。
【００２７】
第十に、本考案に係るすべてのシステム部材は、工場で標準的なサイズに予め生産し、現場で組立て使用することができ、環境にやさしく、従来の光起電発電所において大量のコンクリートを用いて建設しなければならないという課題を解決し、クリーンな生産によるクリーンエネルギーを実現している。また、本考案に係るシステムのグリッド構造は単純で、空間構成も合理的であり、第一梁下部にある高さ２．５メートルから５メートルの空間に、農業生産に必要な空間を予め設計することができる。
【００２８】
第十一に、本考案に係るダブルスロット式梁は、異なる方向に配置することによって、ダブルスロット式梁を南北方向に配置して傾斜角を調整することが可能な光起電アレイである南北傾斜角調整システムと、ダブルスロット式梁を東西方向に配置して東西方向に光起電素子が日照を追跡する光起電アレイである東西トラッキングシステムとに分けることができる。
【図面の簡単な説明】
【００２９】
【図１】本考案全体を示す模式図である。
【図２】本考案全体を示す模式図である。
【図３】本考案全体を示す模式図である。
【図４】本考案に係る局部の接続を示す模式図である。
【図５】農業用ハウスを取り付けた本考案を示す模式図である。
【図６】農業用ハウスを取り付けた本考案の局部を示す模式図である。
【図７】本考案に係る骨セメントの構造を示す模式図である。
【図８】図４にあるＤ部分の局部拡大図である。
【図９】図２にあるＡ部分の局部拡大図である。
【図１０】本考案に係る角丸自己潤滑複合スリーブとワッシャとの取り付けを示す模式図である。
【図１１】本考案に係る角丸自己潤滑複合スリーブを示す模式図である。
【図１２】本考案に係る角丸自己潤滑複合スリーブを示す模式図である。
【図１３】本考案に係る角丸自己潤滑複合スリーブを示す模式図である。
【図１４】本考案に係る角丸自己潤滑複合スリーブを示す模式図である。
【図１５】図１３のＡ−Ａ線断面図である。
【図１６】本考案に係る分離式複合スタンドを示す模式図である。
【図１７】本考案に係る分離式複合スタンドを示す模式図である。
【図１８】本考案に係る分離式複合スタンドを示す模式図である。
【図１９】本考案に係る分離式複合スタンドを示す模式図である。
【図２０】本考案に係るダブルスロット式梁を示す模式図である。
【図２１】本考案に係るダブルスロット式梁を示す模式図である。
【図２２】図２１のＣ−Ｃ線断面図である。
【図２３】図２０にあるＢ部分の局部拡大図である。
【図２４】本考案に係る支柱とベースとの取り付けを示す模式図である。
【図２５】本考案に係る支柱とベースとの取り付けを示す模式図である。
【図２６】本考案に係るベースを示す模式図である。
【図２７】本考案に係るベースを示す模式図である。
【図２８】本考案に係るベースを示す模式図である。
【図２９】図２７のＤ−Ｄ線断面図である。
【考案を実施するための形態】
【００３０】
図面を参照しつつ、以下において、本考案に対して詳細な説明を行うため、本考案に係る実施例にある技術的特徴が具体的且つ詳細に言及されるが、これら実施例は、あくまでも本考案の一部分に過ぎず、すべてを表したものではない。また、本考案に係る実施例に基づいて当該業者が行った修正や変更は、いずれも本考案が請求する範疇に属するものである。
【００３１】
図面のとおり、本考案は、支持ユニットと、分離式複合スタンド２と、角軸５と、光起電パネル１とを包括するグリッドアセンブリ式インテリジェント光起電システムを提供し、角軸５は、分離式複合スタンド２上に設置し、且つ分離式複合スタンド２で転動することができ、分離式複合スタンド２は、支持ユニット上に固定し、複数の光起電パネル１は、角軸５上に固定して単列の光起電パネルグリッドを形成し、各光起電パネルグリッドの間は、一定の距離を有し、複数の光起電パネルグリッドが光起電アレイを形成している。
【００３２】
上述した支持ユニットは、支柱３、ダブルスロット式梁４及びベース８を包括し、上述した支柱３は、上部がダブルスロット式梁４と接続し、下部がベース８と接続している。
【００３３】
上述した角軸５は、ダブルスロット式梁４と垂直を呈し、角丸自己潤滑複合スリーブ９を介して分離式複合スタンド２が取り付けられ、分離式複合スタンド２底部は、ダブルスロット式梁４上部のスロット４１に取り付けられているＴ字型ボルトに接続し、上述した光起電パネル１は、固定梁１０を介して角軸５に取り付けている。
【００３４】
グリッドアセンブリ式インテリジェント光起電システムは、伝動ロッド７及び駆動ロッド６をさらに包括し、上述した伝動ロッド７は、一端が角軸５と接続し、もう一端が駆動ロッド６と接続している。
【００３５】
グリッドアセンブリ式インテリジェント光起電システムは、インテリジェント制御ボックス１４、角度検出器及び駆動機構をさらに包括し、そのうち、インテリジェント制御ボックス１４は、支柱３に取り付けられ、角度検出器は、インテリジェント制御ボックス１４側面の光起電パネルグリッド上に取り付けられ、駆動機構は駆動ロッド６と接続されている。
【００３６】
上述したダブルスロット式梁４は、上部及び下部にＴ字型ボルト専用のスロット４１をそれぞれ開設している。
【００３７】
上述した分離式複合スタンド２は、角丸自己潤滑複合スリーブ９との間に耐摩耗のワッシャ１１をさらに設置している。
【００３８】
上述したベース８上部にある支柱取り付けロッド８１は、二列の固定孔を開設し、各列の固定孔は、互いに１２０度の挟角にある三つのねじ穴を包含している。また、上述したベース８は、支柱３との接続箇所に保護カバーをさらに設置している。
【００３９】
上述した角丸自己潤滑複合スリーブ９は、中央に角孔を設置し、且つ両側には小円盤９３及び大円盤９１が配置され、大円盤９１及び小円盤９３の間には中央円柱９２が配置され、上述した大円盤９１の軸線及び小円盤９３の軸線は、同一線上ではない。
【００４０】
上述した分離式複合スタンド２の上部は、円形孔を開設するスリーブ取り付け部２１を包含し、スリーブ取り付け部２１の下部は、立板２４を包含し、立板２４の両側は、立板２４と垂直になる側板２２を設置し、側板２２の下部は、側板２２と垂直になる横板２３を設置し、横板２３上に固定孔２５を開設している。
【００４１】
図１のとおり、本考案は、異なる状況において光起電パネル１を増加させたり、拡張させたりすることができ、単列の光起電アレイは、駆動コネクティングロッドによって駆動ロッド６の動作を制御し、駆動ロッド６は、伝動ロッド７をさらに連動し、伝動ロッド７は、角軸５の転動をさらに押動し、すべての単列の光起電アレイの転動を行っており、これにより、光起電パネル１の角度を調節し、異なる地域によって光起電パネル１の傾斜角を変えると同時に、南北傾斜角調整システムを介して光起電パネル１の各時間帯の傾斜角を算出して制御することで、終始、光起電パネル１を太陽光の利用率が最も高い最適な位置にしている。すべてのシステムの組立が完了すると、システムの端部及び中央部に安定支持フレーム１３をさらにそれぞれ設置し、本発明が使用中において確実な安定且つ強固なものにしている。
【００４２】
また、各列の光起電アレイの間に間隙を設計し、光起電パネル１が水平に転動した際、各光起電パネルが一定の距離を保持しているため、各光起電パネル同士が転動時に干渉することを防止している。合理的な間隙と、光起電パネル１の転動により、光起電パネル１の転動によって光起電パネル１下方の土地或いは農業用ハウス１２の日光照射量を制御することを実現し、光起電パネル１下方の土地或いは農業用ハウス１２の日光照射量を調節可能にすることで、土地或いは農業用ハウス１２にある植物を栽培することができる。
【００４３】
図４及び図８のとおり、上述した角軸５は、ダブルスロット式梁４と垂直を呈し、角丸自己潤滑複合スリーブ９を介して分離式複合スタンド２が取り付けられ、分離式複合スタンド２底部は、ダブルスロット式梁４上部のスロット４１に取り付けられているＴ字型ボルトに接続し、上述した光起電パネル１は、固定梁１０を介して角軸５に取り付けられ、ダブルスロット式梁４は、さらに支柱３と接続し、支柱３の底部でＴ字型ボルトによってベース８と接続し、上述した伝動ロッド７は、一端が角軸５と接続し、もう一端が駆動ロッド６と接続している。ダブルスロット式梁４は、角軸５と垂直を呈し、分離式複合スタンド２を介して接続することから、本考案は、網目状に交差しており、ダブルスロット式梁４上に一定数量の単列の光起電アレイが取り付けられると、より安定性が強化され、耐風、耐横転の能力がさらに強化されている。
【符号の説明】
【００４４】
１            光起電パネル
２            分離式複合スタンド
２１          スリーブ取り付け部
２２          側板
２３          横板
２４          立板
２５          固定孔
３            支柱
４            ダブルスロット式梁
４１          スロット
５            角軸
６            駆動ロッド
７            伝動ロッド
８            ベース
８１          支柱取り付けロッド
９            角丸自己潤滑複合スリーブ
９１          大円盤
９２          中央円柱
９３          小円盤
９４          角丸ワッシャ
１０          固定梁
１１          ワッシャ
１２          農業用ハウス
１３          安定支持フレーム
１４          インテリジェント制御ボックス
【図１】
0003212175.tif 000003
【図２】
0003212175.tif 000004
【図３】
0003212175.tif 000005
【図４】
0003212175.tif 000006
【図５】
0003212175.tif 000007
【図６】
0003212175.tif 000008
【図７】
0003212175.tif 000009
【図８】
0003212175.tif 000010
【図９】
0003212175.tif 000011
【図１０】
0003212175.tif 000012
【図１１】
0003212175.tif 000013
【図１２】
0003212175.tif 000014
【図１３】
0003212175.tif 000015
【図１４】
0003212175.tif 000016
【図１５】
0003212175.tif 000017
【図１６】
0003212175.tif 000018
【図１７】
0003212175.tif 000019
【図１８】
0003212175.tif 000020
【図１９】
0003212175.tif 000021
【図２０】
0003212175.tif 000022
【図２１】
0003212175.tif 000023
【図２２】
0003212175.tif 000024
【図２３】
0003212175.tif 000025
【図２４】
0003212175.tif 000026
【図２５】
0003212175.tif 000027
【図２６】
0003212175.tif 000028
【図２７】
0003212175.tif 000029
【図２８】
0003212175.tif 000030
【図２９】
0003212175.tif 000031
【手続補正書】
【提出日】平成29年5月19日(2017.5.19)
【手続補正１】
【補正対象書類名】図面
【補正対象項目名】全図
【補正方法】変更
【補正の内容】
【図１】
0003212175.tif 000032
【図２】
0003212175.tif 000033
【図３】
0003212175.tif 000034
【図４】
0003212175.tif 000035
【図５】
0003212175.tif 000036
【図６】
0003212175.tif 000037
【図７】
0003212175.tif 000038
【図８】
0003212175.tif 000039
【図９】
0003212175.tif 000040
【図１０】
0003212175.tif 000041
【図１１】
0003212175.tif 000042
【図１２】
0003212175.tif 000043
【図１３】
0003212175.tif 000044
【図１４】
0003212175.tif 000045
【図１５】
0003212175.tif 000046
【図１６】
0003212175.tif 000047
【図１７】
0003212175.tif 000048
【図１８】
0003212175.tif 000049
【図１９】
0003212175.tif 000050
【図２０】
0003212175.tif 000051
【図２１】
0003212175.tif 000052
【図２２】
0003212175.tif 000053
【図２３】
0003212175.tif 000054
【図２４】
0003212175.tif 000055
【図２５】
0003212175.tif 000056
【図２６】
0003212175.tif 000057
【図２７】
0003212175.tif 000058
【図２８】
0003212175.tif 000059
【図２９】
0003212175.tif 000060
【手続補正書】
【提出日】平成29年7月3日(2017.7.3)
【手続補正１】
【補正対象書類名】実用新案登録請求の範囲
【補正対象項目名】全文
【補正方法】変更
【補正の内容】
【実用新案登録請求の範囲】
【請求項１】
支持ユニットと、分離式複合スタンドと、角軸と、光起電パネルとを包括するグリッドアセンブリ式インテリジェント光起電システムであって、
角軸は、分離式複合スタンド上に設置し、且つ分離式複合スタンドで転動することができ、分離式複合スタンドは、支持ユニット上に固定し、複数の光起電パネルは、角軸上に固定して単列の光起電パネルグリッドを形成し、各光起電パネルグリッドの間は、一定の距離を有し、複数の光起電パネルグリッドが光起電アレイを形成することを特徴とする、グリッドアセンブリ式インテリジェント光起電システム。
【請求項２】
上述した支持ユニットは、支柱、ダブルスロット式梁及びベースを包括し、上述した支柱は、上部がダブルスロット式梁と接続し、下部がベースと接続することを特徴とする請求項１に記載の、グリッドアセンブリ式インテリジェント光起電システム。
【請求項３】
上述した角軸は、ダブルスロット式梁と垂直を呈し、角丸自己潤滑複合スリーブを介して分離式複合スタンドが取り付けられ、分離式複合スタンド底部は、ダブルスロット式梁上部のスロットに取り付けられているＴ字型ボルトに接続し、上述した光起電パネルは、固定梁を介して角軸に取り付けられることを特徴とする請求項１に記載の、グリッドアセンブリ式インテリジェント光起電システム。
【請求項４】
伝動ロッド及び駆動ロッドをさらに包括し、上述した伝動ロッドは、一端が角軸と接続し、もう一端が駆動ロッドと接続することを特徴とする請求項１に記載の、グリッドアセンブリ式インテリジェント光起電システム。
【請求項５】
インテリジェント制御ボックス、角度検出器及び駆動機構をさらに包括し、そのうち、インテリジェント制御ボックスは、支柱に取り付けられ、角度検出器は、インテリジェント制御ボックス側面の光起電パネルグリッド上に取り付けられ、駆動機構は駆動ロッドと接続されることを特徴とする請求項１乃至４のいずれかに記載の、グリッドアセンブリ式インテリジェント光起電システム。
【請求項６】
上述したダブルスロット式梁は、上部及び下部にＴ字型ボルト専用のスロットをそれぞれ開設することを特徴とする請求項２に記載の、グリッドアセンブリ式インテリジェント光起電システム。
【請求項７】
上述した分離式複合スタンドは、角丸自己潤滑複合スリーブとの間に耐摩耗のワッシャをさらに設置することを特徴とする請求項３に記載の、グリッドアセンブリ式インテリジェント光起電システム。
【請求項８】
上述したベース上部にある支柱取り付けロッドは、二列の固定孔を開設し、各列の固定孔は、互いに１２０度の挟角にある三つのねじ穴を包含し、上述したベースは、支柱との接続箇所に保護カバーをさらに設置することを特徴とする請求項１に記載の、グリッドアセンブリ式インテリジェント光起電システム。
【請求項９】
上述した角丸自己潤滑複合スリーブは、中央に角孔を設置し、且つ両側には小円盤及び大円盤が配置され、大円盤及び小円盤の間には中央円柱が配置され、上述した大円盤の軸線及び小円盤の軸線は、同一線上ではないことを特徴とする請求項３に記載の、グリッドアセンブリ式インテリジェント光起電システム。
【請求項１０】
上述した分離式複合スタンドの上部は、円形孔を開設するスリーブ取り付け部を包含し、スリーブ取り付け部の下部は、立板を包含し、立板の両側は、立板と垂直になる側板を設置し、側板の下部は、側板と垂直になる横板を設置し、横板上に固定孔を開設することを特徴とする請求項１に記載の、グリッドアセンブリ式インテリジェント光起電システム。